(57)【要約】【課題】イルミネーション効果で視覚的に滑らかな水の流れをイメージさせることができ、小型で快適に利用できるアルカリイオン整水器を提供することを目的とする。【解決手段】本発明は、水の流れに同期して発光する複数の光源１１と、本体表面に設けられ光源１１の光が内部から投影される光透過性または半光透過性の表面パネル１０と、光源１１と表面パネル１０との間に設置され、光源１１の光を通過させるための複数の開口が形成されるとともに表面パネル１０からの散乱光を反射する反射板１２が設けられたアルカリイオン整水器であって、開口の周囲にはそれぞれ反射板１２表面から窪んだ段差部が形成されたことを特徴とする。【選択図】図１
2005296831.tif 000002
【特許請求の範囲】
【請求項１】
水の流れに同期して発光する複数の光源と、本体表面に設けられ前記光源の光が内部から投影される光透過性または半光透過性の表示板と、前記光源と前記表示板との間に設置され、前記光源の光を通過させる複数の開口が形成されるとともに前記表示板からの散乱光を反射する反射板が設けられたアルカリイオン整水器であって、前記開口の周囲にはそれぞれ前記反射板表面から窪んだ段差部が形成されたことを特徴とするアルカリイオン整水器。
【請求項２】
前記段差部の前記表示板側の直径Ｂ、前記開口の直径Ａ、前記光源の入射角θ及び前記段差の深さＣの間に、Ｂ＞２Ｃ／ｔａｎθ＋Ａの関係があることを特徴とする請求項１記載のアルカリイオン整水器。
【請求項３】
前記段差部の深さＣが、前記表示板と前記光源の間の距離Ｌに対しＣ≦Ｌの関係にあることを特徴とする請求項２記載のアルカリイオン整水器。
【請求項４】
前記段差部と前記開口の間に、前記光源側の直径が小さく前記表示板側の直径が大きいコーン状傾斜部が設けられたことを特徴とする請求項１記載のアルカリイオン整水器。
【請求項５】
前記段差部の直径が前記コーン状傾斜部の前記表示側の直径より大きいことを特徴とする請求項４記載のアルカリイオン整水器。
【請求項６】
前記段差部の直径Ｂが、前記コーン先端の直径Ｄに対し前記コーンの前記表示板への入射角θと前記段差の深さＣがＢ＞２Ｃ／ｔａｎθ＋Ｄの関係にあることを特徴とする請求項５記載のアルカリイオン整水器。
【請求項７】
前記段差部の深さＣが、前記表示板と前記光源の間の距離Ｌに対しＣ＜Ｌの関係にあることを特徴とする請求項６記載のアルカリイオン整水器。
【請求項８】
所定の水の流れに合わせ順次発光する複数の光源を有することを特徴とする請求項１記載のアルカリ整水器。
【発明の詳細な説明】
【技術分野】
【０００１】
本発明は、水道水等の原水を電気分解して、飲用、医療用として利用するアルカリイオン水及び化粧水、殺菌洗浄水等として利用する酸性イオン水を製造するためのアルカリイオン整水器に関するものである。
【背景技術】
【０００２】
近年、連続電解方式のイオン生成器としてアルカリイオン整水器が普及している。このアルカリイオン整水器は電解槽内で水道水等を電気分解して、陽極側に酸性水を生成し、陰極側にアルカリ水を生成するものである（例えば、特許文献１参照。）。
【０００３】
まず、従来の連続電解方式のアルカリイオン整水器について説明する。図４（ａ）は従来のアルカリイオン整水器の外観正面図、図４（ｂ）は（ａ）のアルカリイオン整水器の外観側面図、図４（ｃ）は（ａ）のアルカリイオン整水器の外観平面図、図５（ａ）は従来のアルカリイオン整水器本体の一部破砕構造正面図、図５（ｂ）は（ａ）のアルカリイオン整水器本体の一部破砕構造の一部破砕構造側面図、図６従来のアルカリイオン整水器の反射板を示す図である。
【０００４】
図４（ａ）（ｂ）（ｃ）、図５（ａ）（ｂ）において、１は水道水を吐水する水栓等から接続された原水管、２は水栓と原水管１で接続されたアルカリイオン整水器本体、３は原水中の残留塩素，トリハロメタン，カビ臭等を吸着する活性炭及び一般細菌や不純物を精度よく取り除く中空糸膜等を内部に備えたカートリッジ部、４は通水量の積算を検知するために設けられた流量検知手段、５はグリセロリン酸カルシウムや乳酸カルシウム等のカルシウムイオンを原水中に付与し原水導伝率を高めるカルシウム供給部、６は流量検知手段４を経由してきた水を電気分解してアルカ水、酸性水を生成する電解槽、７は電解槽６で電気分解され、アルカリイオン水及び酸性水を本体より流出する吐水管、８は電解槽６で電気分解され吐水管７からアルカリイオン水が吐出しているときには酸性水、酸性水が吐出しているときはアルカリイオン水が流出する排水管である。吐出管７および排水管８から流出される水は本体表面に設けられた操作パネル９による水質選択操作でアルカリイオン水、酸性イオン水、浄水を自在に選択するものである。原水は図中のＡからアルカリイオン整水器本体２へ流入してＪ方向へアルファベットの順に従って流れる。
【０００５】
次に、従来のアルカリイオン整水器本体２からアルカリイオン水を吐水するときの光のイルミネーションについて説明する。図５（ａ）（ｂ）、図６（ａ）（ｂ）（ｃ）において、１０はアルカリイオン整水器本体２の表面を構成する表面パネル、１１はアルカリ整水器本体２の内部に設けられた光源、１２は光源１１を表面パネル１０に映し出す反射板である。光源１１は、基板１３に取り付けられ、反射板１２に設けた爪１４が基板１３を固定している。この基板１３は、反射板１２に光源部が反射板１２に設けたそれぞれがコーン形状の中心に配置されるように固定される。反射板１２の形状は、光源１１側は径が小さく、表面パネル１０側に向かうに従って径が広がっている。アルカリイオン整水器に通水を行うと、水栓から接続された原水管１を通りカートリッジ３を通過して流量検知手段４へ達する。そして、流量検知手段４からの出力信号を読み取ると本体内部に備えているコントローラ（図示せず）が光源１１を（１）、（２）、（３）、（４）と順番に点灯させる。そして、この複数個並べた光源１１が反射板１２を介して表面パネル１０を透過し、複数個の光源から発する光を発光時間に時間差を設けることによって水の流れに同期させたように点灯・消灯させながら光のイルミネーション効果を出している。
【特許文献１】特開２００１−０８７７６６号公報
【発明の開示】
【発明が解決しようとする課題】
【０００６】
以上説明したように従来のアルカリイオン整水器においては、数個並んだ光源から発する光を発光時間に時間差を設けることによって水の流れに同期した光の流れを作り出すイルミネーション効果を得ている。しかしながら、各光源から出射される光は、各反射板でコーン状に集光されて出射されるため、数個並んだ各反射板１２のコーン開口部付近では明るく、隣同士の光の間では暗部が強くなりすぎ、その境がはっきりしており、水の流れに合わせた円滑な光の動きを演出するという点で課題が残るものであった。この境界でのコントラストを抑える方法としては、反射板１２と表面パネル１０との距離を離す方法が考えられるが、アルカリイオン整水器本体を小型にする必要があり、内部空間が十分に確保できないため距離をとることが難しい。
【０００７】
そこで本発明は、イルミネーション効果で視覚的に滑らかな水の流れをイメージさせることができ、小型で快適に利用できるアルカリイオン整水器を提供することを目的とする。
【課題を解決するための手段】
【０００８】
この課題を解決するために本発明は、水の流れに同期して発光する複数の光源と、本体表面に設けられ前記光源の光が内部から投影される光透過性または半光透過性の表示板と、光源と表示板との間に設置され、光源の光を通過させるための複数の開口が形成されるとともに表示板からの散乱光を反射する反射板が設けられたアルカリイオン整水器であって、開口の周囲にはそれぞれ反射板表面から窪んだ段差部が形成されたことを特徴とする。
【発明の効果】
【０００９】
本発明によれば、複数個並んだ光源の発光時間に時間差を設けることによって水の吐出に同期させた光の流れを作り出すイルミネーション効果を得ると同時に、反射板の開口付近での光のコントラストを抑えることにより、隣接する光のグラデーション効果を持たせて、滑らかな水の流れをイメージさせることができる。
【発明を実施するための最良の形態】
【００１０】
本発明の第１の形態は、水の流れに同期して発光する複数の光源と、本体表面に設けられ前記光源の光が内部から投影される光透過性または半光透過性の表示板と、光源と表示板との間に設置され、光源の光を通過させるための複数の開口が形成されるとともに表示板からの散乱光を反射する反射板が設けられたアルカリイオン整水器であって、開口の周囲にはそれぞれ反射板表面から窪んだ段差部が形成されたアルカリイオン整水器であり、複数個並んだ光源の発光時間に時間差を設けることによって水の流れに同期させた光の流れを作り出すイルミネーション効果を生じさせると同時に、反射板の開口付近での光のコントラストを抑えることにより、隣接する光のグラデーション効果を持たせて、滑らかな水の流れをイメージさせることができる。
【００１１】
本発明の第２の形態は、第１の形態に従属する形態であって、段差部の表示板側の直径Ｂ、開口の直径Ａ、光源の入射角θ及び段差の深さＣの間に、Ｂ＞２Ｃ／ｔａｎθ＋Ａの関係があるアルカリイオン整水器であり、反射板の開口付近での光のコントラストを確実に抑えることができ、隣接する光のグラデーション効果で滑らかな水の流れをイメージさせることができる。
【００１２】
本発明の第３の形態は、第２の形態に従属する形態であって、段差部の深さＣが、表示板と光源の間の距離Ｌに対しＣ≦Ｌの関係にあるアルカリイオン整水器であり、反射板の開口付近での光のコントラストをさらに確実に抑えることができ、隣接する光のグラデー
ション効果で滑らかな水の流れをイメージさせることができる。
【００１３】
本発明の第４の形態は、第１の形態に従属する形態であって、段差部と開口の間に、光源側の直径が小さく表示板側の直径が大きいコーン状傾斜部が設けられたアルカリイオン整水器であり、複数個並んだ光源の発光時間に時間差を設けることによって水の流れに同期させた光の流れを作り出すイルミネーション効果を生じさせると同時に、反射板の中央に光を集光し中央と反射板の周縁部とのコントラストを強くすることで、反射板の開口付近での光のコントラストを抑え、隣接する光のグラデーション効果を持たせて、滑らかな水の流れをイメージさせることができる。
【００１４】
本発明の第５の形態は、第４の形態に従属する形態であって、段差部の直径がコーン状傾斜部の表示側の直径より大きいアルカリイオン整水器であり、複数個並んだ光源の発光時間に時間差を設けることによって水の吐出に同期させた光の流れを作り出すイルミネーション効果を得ると同時に、反射板の開口付近での光のコントラストを抑え、隣接する光のグラデーション効果を持たせて、滑らかな水の流れをイメージさせることができる。
【００１５】
本発明の第６の形態は、第５の形態に従属する形態であって、段差部の直径Ｂが、コーン先端の直径Ｄに対しコーンの表示板への入射角θと段差の深さＣがＢ＞２Ｃ／ｔａｎθ＋Ｄの関係にあるアルカリイオン整水器であり、反射板の開口付近での光のコントラストを確実に抑えることができ、隣接する光のグラデーション効果で滑らかな水の流れをイメージさせることができる。
【００１６】
本発明の第７の形態は、第６の形態に従属する形態であって、段差部の深さＣが、表示板と光源の間の距離Ｌに対しＣ＜Ｌの関係にあるアルカリイオン整水器であり、反射板の開口付近での光のコントラストをさらに確実に抑えることができ、隣接する光のグラデーション効果で滑らかな水の流れをイメージさせることができる。
【００１７】
（実施の形態１）
以下、本発明の実施の形態１のアルカリイオン整水器について図面を用いて説明する。図１（ａ）は本発明の実施の形態１におけるアルカリイオン整水器の構造側面図、図１（ｂ）は（ａ）のアルカリイオン整水器本体の一部破砕構造正面図である。図１（ａ）（ｂ）において、従来例の説明で用いた符号と同一符号のものは本実施の形態１においても基本的に同一であるため、詳細な説明は従来例のところに譲って省略する。
【００１８】
図１（ａ）（ｂ）に示すように、１は水道水を吐水する水栓等から接続された原水管、２は水栓等と原水管１で接続されたアルカリイオン整水器本体、３は内部に原水中の残留塩素、トリハロメタン、カビ臭等を吸着する活性炭及び一般細菌や不純物を精度よく取り除く中空糸膜等を備えたカートリッジ部、４は通水量の積算を検知するために設けられた流量検知手段、５はグリセロリン酸カルシウムや乳酸カルシウム等のカルシウムイオンを原水中に付与し原水導伝率を高めるカルシウム供給部、６は流量検知手段４を経由してきた水を電気分解してアルカ水、酸性水を生成する電解槽、７は電解槽６で電気分解され、アルカリイオン水及び酸性水を本体より流出する吐水管、８は電解槽６で電気分解され吐水管７からアルカリイオン水が吐出しているときには酸性水、酸性水が吐出しているときはアルカリイオン水が流出する排水管である。吐出管７および排水管８から流出される水は本体表面に設けられた操作パネル９による水質選択操作でアルカリイオン水、酸性イオン水、浄水を自在に選択することができる。１０は後述する光源１１から出射された光をアルカリイオン整水器本体２内部から投影する表面パネルであり、光透過性または半光透過性の樹脂から構成される。
【００１９】
アルカリイオン整水器に通水を行うと、水栓から接続された原水管１を通りカートリッ
ジ３を通過して、ＣからＤに流れる間にカートリッジ部３の中空糸膜等で不純物を除去され、Ｅの流量検知手段４へ達する。そして、流量検知手段４からの出力信号を読み取ると本体内部に備えているコントローラ（図示せず）が光源１１を（１）、（２）、（３）、（４）と順番に点灯させる。そして、この複数個並べた光源１１が反射板１２を介して表面パネル１０を透過し、複数個の光源から発する光を発光時間に時間差を設けることによって水の流れに同期させて点灯・消灯させながら光のイルミネーション効果を得るものである。そしてＧからＨ，Ｉを流れる間に電解槽６内で電気分解され、吐水管７からＪの方向にアルカリイオン水または酸性水を吐出し、排水管８からは吐出する必要がないイオン水が排水される。なお、本発明において水の流れに同期させるとは、流量検知手段４からの出力信号を読み取ってコントローラにより光源１１を流れの速度に合わせて順番に点灯させることをいう。また、所定以上の流量を流量検知手段４が検知した場合に、コントローラにより光源１１を流れの速度に合わせて順番に点灯させてもよい。即ち、きわめて少ない流量の場合は、非点灯ととして省電力を図ってもよい。
【００２０】
次に、本発明の実施の形態１のアルカリイオン整水器本体２の内部に備えられている光源１１と反射板１２について説明する。図２（ａ）は本発明の実施の形態１におけるアルカリイオン整水器に内蔵されている反射板の正面図、図２（ｂ）は（ａ）の反射板の断面図、図２（ｃ）は（ｂ）の反射板の部分拡大図である。図２（ａ）（ｂ）（ｃ）において、１１は光源、１２は反射板、１３は基板、１４は爪である。そして１５は反射板１２の表面パネル１０側の表面に設けられた開口部、１６は開口部１５に形成された段差部、１７は開口部１５の中央に形成された円筒形の開口である。開口部１５は複数個並んで設けられ、底面が段差部１６の穴であり、この中央にそれぞれ開口１７が形成される。
【００２１】
光源１１は基板１３に取り付けられており、反射板１２に設けた爪１４が基板１３を固定している。このとき、光源１１が各開口部１５の中心（開口１７の中心）に一致するように、基板１３が反射板１２の所定位置に固定される。段差部１６の形状は、光源１１を覆う円筒形の開口１７の直径をＡ、段差部１６の直径をＢ、段差部１６の深さをＣ、光源１１から表面パネル１０への光の入射角をθとすると、図２（ｃ）に示すように、Ｂ＞２Ｃ／ｔａｎθ＋Ａとなる。
【００２２】
この形状にすることにより、図２（ａ）のＳで表す部分は明るい部分からの光が散光し、暗くすることができる。このとき段差部１６の深さＣは、光源１１から反射板１２の先端部（表面パネル１０側）までの距離をＬとするとＣ≦Ｌであればどの深さでもよい。
【００２３】
このように実施の形態１のアルカリイオン整水器は、複数個並んだ光源１１の発光時間に時間差を設けることによって、水の吐出に同期させた光の流れを作り出すイルミネーション効果を生じさせると同時に、光源１１からの光を表面パネル１０側に反射させる反射板１２の開口部１５に段差部１６を設けて図２（ｃ）に示す光のコーン状の部分とそれ以外の部分との光量の差を少なくし、原水の流れにグラデーション効果を実現することができ、表面パネル１０を見ることで滑らかな水の流れをイメージさせることができる。
【００２４】
（実施の形態２）
本発明の実施の形態２のアルカリイオン整水器について図面を用いて説明する。図３（ａ）は本発明の実施の形態２におけるアルカリイオン整水器に内蔵されている反射板の正面図、図３（ｂ）は（ａ）の反射板の断面図、図３（ｃ）は（ｂ）の反射板の部分拡大図である。図３（ａ）（ｂ）（ｃ）において、１１は光源、１２は反射板、１３は基板、１４は爪、１５は開口部、１６は段差部、１７は開口、１８は開口部１５の中央に形成されたコーン形状のコーン状傾斜部である。
【００２５】
実施の形態２のアルカリイオン整水器の基本的な構成は実施の形態１と同様であり、光
源１１は基板１３に取り付けられ、この基板１３は反射板１２に設けた爪１４によって固定される。このとき、光源１１がそれぞれコーン形状のコーン状傾斜部１８の中心に位置するように固定される。コーン状傾斜部１８の形状は、光源１１側では径が小さく、表面パネル１０側に向かうに従い径が広がっている。そして表面パネル１０側の開口部１５には、その開口径よりさらに広い直径をもつ段差部１６が設けられる。
【００２６】
この段差部１６は、段差部１６の直径をＢ、コーン形状のコーン状傾斜部１８の最大径をＤ、コーン状傾斜部１８の広がり角度をθと表すとＢ＞２Ｃ／ｔａｎθ＋Ｄで表される。この形状にすることにより、図２（ａ）のＳで示す部分は明るい部分からの光が散り、暗くすることができる。このとき段差部１６の深さＣは、光源１１から反射板１２の先端部（表面パネル側）までの距離をＬとするとＣ＜Ｌであればどのような深さでもよい。
【００２７】
このように実施の形態２のアルカリイオン整水器は、複数個並んだ光源１１の発光時間に時間差を設けることによって、水の吐出に同期させた光の流れを作り出すイルミネーション効果を得ると同時に、光源１１からの光を表面パネル１０側に反射させる反射板１２の開口部１５にコーン状傾斜部１８と段差部１６を設け、反射板１２の中央に光を集光し中央と反射板１２の周縁部とのコントラストを強くすることで、反射板１２の開口付近での光のコントラストを抑え、原水の流れにグラデーション効果を実現することができ、表面パネル１０を見ることで滑らかな水の流れをイメージさせることができる。
【産業上の利用可能性】
【００２８】
本発明のアルカリイオン整水器は、飲用，医療用として利用するアルカリイオン水、あるいは化粧水，殺菌洗浄水等として利用する酸性イオン水を製造し、且つ視覚的に滑らかな水の流れをイメージさせることでこれらのイオン水を快適に利用するアルカリイオン整水器等に利用することができる。
【図面の簡単な説明】
【００２９】
【図１】（ａ）本発明の実施の形態１におけるアルカリイオン整水器の一部破砕構造正面図、（ｂ）（ａ）のアルカリイオン整水器本体の構造側面図
【図２】（ａ）本発明の実施の形態１におけるアルカリイオン整水器に内蔵されている反射板の正面図、（ｂ）（ａ）の反射板の断面図、（ｃ）（ｂ）の反射板の部分拡大図
【図３】（ａ）本発明の実施の形態２におけるアルカリイオン整水器に内蔵されている反射板の正面図、（ｂ）（ａ）の反射板の断面図、（ｃ）（ｂ）の反射板の部分拡大図
【図４】（ａ）従来のアルカリイオン整水器の外観正面図、（ｂ）（ａ）のアルカリイオン整水器の外観側面図、（ｃ）（ａ）のアルカリイオン整水器の外観平面図
【図５】（ａ）従来のアルカリイオン整水器本体の一部破砕構造正面図、（ｂ）（ａ）のアルカリイオン整水器本体の一部破砕構造の一部破砕構造側面図
【図６】従来のアルカリイオン整水器の反射板を示す図
【符号の説明】
【００３０】
１    原水管
２    アルカリイオン整水器本体
３    カートリッジ部
４    流量検知手段
５    カルシウム供給部
６    電解槽
７    吐水管
８    排水管
９    操作パネル
１０    表面パネル
１１    光源
１２    反射板
１３    基板
１４    爪
１５    開口部
１６    段差部
１７    開口
１８    コーン状傾斜部
【図１】
2005296831.tif 000003
【図２】
2005296831.tif 000004
【図３】
2005296831.tif 000005
【図４】
2005296831.tif 000006
【図５】
2005296831.tif 000007
【図６】
2005296831.tif 000008